(57)【要約】【課題】光周波数コムを用いて測定対象のレーザが所定の周波数範囲内に正しく安定化されているかを短時間で簡単かつ確実に判定すること。【解決手段】光周波数コム１は、所定の周波数間隔及び所定のオフセット周波数にて複数の縦モードを含む光Ｌ１を出力する。受光部５は、光周波数コム１から出力される光Ｌ１と、レーザ装置２から出力されたレーザ光Ｌ２と、の干渉光Ｌ３を光電変換した電気信号を出力する。演算部６は、受光部５からの信号に応じてビート周波数を検出し、ビート周波数に基づいてレーザ光Ｌ２が所望の周波数範囲に安定化されているかを判定する。【選択図】図１
2015005601.tif 000002
【特許請求の範囲】
【請求項１】
所定の周波数間隔及び所定のオフセット周波数にて複数の縦モードを含む光を出力する光周波数コムと、
前記光周波数コムから出力される前記光と、レーザ装置から出力されたレーザ光と、の干渉光を光電変換した信号を出力する受光部と、
前記受光部からの前記信号に応じてビート周波数を検出し、前記ビート周波数に基づいて前記レーザ光が所望の周波数範囲に安定化されているかを判定する演算部と、を備える、
レーザ周波数測定装置。
【請求項２】
前記演算部は、前記ビート周波数が所定の範囲内である場合に、前記レーザ光が所望の周波数範囲に安定化されていると判定する、
請求項１に記載のレーザ周波数測定装置。
【請求項３】
前記レーザ装置は、前記レーザ光をヨウ素の吸収線のいずれかを基準として安定化する、
請求項２に記載のレーザ周波数測定装置。
【請求項４】
前記所定の範囲は、前記レーザ光の安定化の基準となる吸収線から所定値の範囲である、
請求項３に記載のレーザ周波数測定装置。
【請求項５】
前記所定値は、前記レーザ光の安定化の基準となる前記吸収線に対応するビート周波数と、他の吸収線に対応するビート周波数と、の間の周波数差よりも小さい、
請求項４に記載のレーザ周波数測定装置。
【請求項６】
前記演算部は、
前記受光部からの前記信号に基づいて前記ビート周波数を検出するビート周波数検出部と、
前記ビート周波数が前記所定の範囲内であるかを判定する判定部と、を備える、
請求項２乃至５のいずれか一項に記載のレーザ周波数測定装置。
【請求項７】
前記演算部は、前記所定の周波数間隔及び前記所定のオフセット周波数に基づいて、前記レーザ光の周波数を算出する周波数算出部を更に備える、
請求項６に記載のレーザ周波数測定装置。
【請求項８】
前記所定の周波数間隔及び前記所定のオフセット周波数を前記光周波数コム及び前記周波数算出部に設定し、前記レーザ光の周波数を算出するための前記光周波数コムの次数を前記周波数算出部に設定する制御部を更に備える、
請求項７に記載のレーザ周波数測定装置。
【請求項９】
前記演算部は、前記次数に前記所定の周波数間隔を乗じた値に前記所定のオフセット周波数を加えて、前記レーザ光の周波数を算出する、
請求項８に記載のレーザ周波数測定装置。
【請求項１０】
所定の周波数間隔及び所定のオフセット周波数にて複数の縦モードを含む光を、光周波数コムに出力させ、
前記光周波数コムから出力される前記光と、レーザ装置から出力されたレーザ光と、の干渉光を光電変換した信号を生成し、
前記信号に応じてビート周波数を検出し、
前記ビート周波数に基づいて前記レーザ光が所望の周波数範囲に安定化されているかを判定する、
レーザ安定化判定方法。
【発明の詳細な説明】
【技術分野】
【０００１】
本発明は、レーザ周波数測定装置及びレーザ安定化判定方法に関する。
【背景技術】
【０００２】
光周波数コム（光コムとも称される）は、複数の周波数の光が等しい周波数間隔で位相同期して発振するレーザである（特許文献１、非特許文献１）。以下、光周波数コムの縦モードの周波数間隔をｆｒｅｐ、発振スペクトルの周波数を仮想的にゼロまで延長した時に残るオフセット成分であるオフセット周波数をｆＣＥＯとする。光周波数コムの発振周波数ｆｃｏｍｂは、周波数間隔ｆｒｅｐとオフセット周波数ｆＣＥＯとを用いて、以下の式（１）で表される。なお、ｎは、光周波数コムのモード次数を示す０以上の整数である。
【数１】
2015005601.tif 000003
【０００３】
光周波数コムは、外部のレーザ装置から出力されるレーザ光の絶対周波数を求める場合に、基準周波数を与える手段として用いることができる。以下、光周波数コムを使った周波数測定について、簡単に説明する。図８は、光周波数コムと測定対象となるレーザ光の絶対周波数との関係を示すスペクトル図である。
【０００４】
光周波数コムと測定対象のレーザ光とを干渉させてビート周波数ｆｂｅａｔを測定する場合、周波数間隔ｆｒｅｐとオフセット周波数ｆＣＥＯとは図８に示した関係にある。図８では、ｋ（ｋは、整数）次の周波数成分をνｋと表示している。そのため、測定対象のレーザ光の絶対周波数νｌａｓｅｒは、以下の式（２）で表される。
【数２】
2015005601.tif 000004
【０００５】
ここで、レーザ周波数を測定する具体的な手順を説明する。まず、測定したいレーザ光と光周波数コムの出力光とを干渉させ、干渉光をフォトディテクタで受光し、ビート信号を得る。この場合、ビート信号は、ビート周波数ｆｂｅａｔの成分だけでなく、周波数間隔ｆｒｅｐやビート周波数ｆｂｅａｔと共役な周波数ｆｃｏｎなどの周波数成分を含む。そこで、適度な帯域のバンドパスフィルタで周波数間隔ｆｒｅｐ以外の周波数信号を遮断し、周波数カウンタで周波数スペクトルを得る。このとき、ビート周波数ｆｂｅａｔは、測定対象のレーザ光の絶対周波数と光周波数コムの周波数間隔ｆｒｅｐとの値に応じて、その都度変化する。したがって、実際にビート周波数ｆｂｅａｔを測定する場合には、光周波数コムとレーザ光のビート周波数ｆｂｅａｔをスペクトルアナライザなどで観察しながら、ビート周波数ｆｂｅａｔがバンドパス通過帯域に入るように周波数間隔ｆｒｅｐを調整する。ビート周波数ｆｂｅａｔは、周波数カウンタにより数値データとして取得される。そして、次数ｎを特定した後に、ビート周波数ｆｂｅａｔを式（２）に代入することで、レーザ光の絶対周波数νｌａｓｅｒを得ることができる。
【先行技術文献】
【特許文献】
【０００６】
【特許文献１】特開平１０−３３２４３１号公報
【非特許文献】
【０００７】
【非特許文献１】Hajime Inaba et al., “Long-term measurement of optical frequencies using a simple, robust and low-noise fiber based frequency comb”, Optics Express, 12 June 2006, Vol. 14, Issue 12, pp.5223-5231
【発明の概要】
【発明が解決しようとする課題】
【０００８】
ところが、発明者は、上述の手法には以下に示す問題点が有ることを見出した。通常、レーザ光の絶対周波数を測定する場合、数千秒以上の期間のデータを取得して周波数安定度を求めたり、平均値を使って絶対周波数を算出したりする。しかし、レーザ装置の操作ミスや、装置の誤作動、振動などの外乱によって、レーザ装置から出力されるレーザ光が所定の周波数に正しく安定化されていない場合が生じ得る。測定対象のレーザが所定の周波数で正しく安定していない状態で絶対周波数の測定を行ってしまうと、レーザ装置を安定化し直して再度数千秒の期間のデータを再度取得しなければならない。すなわち、上述の手法では、レーザ装置の状態によっては、レーザの絶対周波数測定に多大な時間を要する場合が生じてしまう。
【０００９】
本発明は、上記の事情に鑑みて成されたものであり、本発明の目的は、光周波数コムを用いて、測定対象のレーザが所望の周波数範囲内で安定化しているか否かを簡単に短時間でかつ確実に判定することである。
【課題を解決するための手段】
【００１０】
本発明の第１の態様であるレーザ周波数測定装置は、所定の周波数間隔及び所定のオフセット周波数にて出力する光周波数コムと、前記光周波数コムから出力される前記光と、レーザ装置から出力されたレーザ光と、の干渉光を光電変換した信号を出力する受光部と、前記受光部からの前記信号に応じてビート周波数を検出し、前記ビート周波数に基づいて前記レーザ光が所望の周波数範囲に安定化されているかを判定する演算部と、を備えるものである。これにより、光コムの次数を特定して式（２）を使って計算を行わなくても、ビート周波数を確認するだけで、レーザ光の絶対周波数を確認することができ、短時間でレーザ装置の絶対周波数を確実に測定することができる。
【００１１】
本発明の第２の態様であるレーザ周波数測定装置は、上記のレーザ周波数測定装置であって、前記演算部は、前記ビート周波数が所定の範囲内である場合に、前記レーザ光が所望の周波数範囲に安定化されていると判定するものである。これにより、光コムの次数を特定して式（２）を使って計算を行わなくても、ビート周波数を確認するだけで、レーザ光の絶対周波数を確認することができ、短時間でレーザ装置の絶対周波数を確実に測定することができる。
【００１２】
本発明の第３の態様であるレーザ周波数測定装置は、上記のレーザ周波数測定装置であって、前記レーザ装置は、前記レーザ光をヨウ素の吸収線のいずれかを基準として安定化するものである。これにより、光コムの次数を特定して式（２）を使って計算を行わなくても、ビート周波数を確認するだけで、レーザ光の絶対周波数を確認することができ、短時間でレーザ装置の絶対周波数を確実に測定することができる。
【００１３】
本発明の第４の態様であるレーザ周波数測定装置は、上記のレーザ周波数測定装置であって、前記所定の範囲は、前記レーザ光の安定化の基準となる吸収線から所定値の範囲であるものである。これにより、光コムの次数を特定して式（２）を使って計算を行わなくても、ビート周波数を確認するだけで、レーザ光の絶対周波数を確認することができ、短時間でレーザ装置の絶対周波数を確実に測定することができる。
【００１４】
本発明の第５の態様であるレーザ周波数測定装置は、上記のレーザ周波数測定装置であって、前記所定値は、前記レーザ光の安定化の基準となる前記吸収線に対応するビート周波数と、他の吸収線に対応するビート周波数と、の間の周波数差よりも小さいものである。これにより、光コムの次数を特定して式（２）を使って計算を行わなくても、ビート周波数を確認するだけで、レーザ光の絶対周波数を確認することができ、短時間でレーザ装置の絶対周波数を確実に測定することができる。
【００１５】
本発明の第６の態様であるレーザ周波数測定装置は、上記のレーザ周波数測定装置であって、前記演算部は、前記受光部からの前記信号に基づいて前記ビート周波数を検出するビート周波数検出部と、前記ビート周波数が前記所定の範囲内であるかを判定する判定部と、を備えるものである。これにより、光コムの次数を特定して式（２）を使って計算を行わなくても、ビート周波数を確認するだけで、レーザ光の絶対周波数を確認することができ、短時間でレーザ装置の絶対周波数を確実に測定することができる。
【００１６】
本発明の第７の態様であるレーザ周波数測定装置は、上記のレーザ周波数測定装置であって、前記演算部は、前記所定の周波数間隔及び前記オフセット周波数に基づいて、前記レーザ光の周波数を算出する周波数算出部を更に備えるものである。これにより、簡単かつ短時間でレーザ光の絶対周波数を確認した後に、レーザ光の絶対周波数を算出することができる。
【００１７】
本発明の第８の態様であるレーザ周波数測定装置は、上記のレーザ周波数測定装置であって、前記所定の周波数間隔及び前記所定のオフセット周波数を前記光周波数コム及び前記周波数算出部に設定し、前記レーザ光の周波数を算出するための前記光周波数コムの次数を前記周波数算出部に設定する制御部を更に備えるものである。これにより、レーザが所定の周波数の範囲内で安定化されているかどうかを短時間かつ簡単に確認した後に、レーザ光の絶対周波数を算出することができる。
【００１８】
本発明の第９の態様であるレーザ周波数測定装置は、上記のレーザ周波数測定装置であって、前記演算部は、前記次数に前記所定の周波数間隔を乗じた値に前記所定のオフセット周波数を加えて、前記レーザ光の周波数を算出するものである。これにより、レーザが所定の周波数の範囲内で安定化されているかどうかを短時間かつ簡単に確認した後に、レーザ光の絶対周波数を算出することができる。
【００１９】
本発明の第１０の態様であるレーザ安定化判定方法は、所定の周波数間隔及び所定のオフセット周波数にて複数の縦モードを含む光を、光周波数コムに出力させ、前記光周波数コムから出力される前記光と、レーザ装置から出力されたレーザ光と、の干渉光を光電変換した信号を生成し、前記信号に応じてビート周波数を検出し、前記ビート周波数に基づいて前記レーザ光が所望の周波数範囲に安定化されているかを判定するものである。これにより、レーザが所定の周波数の範囲内で安定化されているかどうかを短時間かつ簡単に確認した後に、レーザ光の絶対周波数を算出することができる。
【発明の効果】
【００２０】
本発明によれば、光周波数コムを用いて短時間でレーザ装置が所望の周波数範囲内で安定化しているか否かを簡単に短時間でかつ確実に判定することができる。
【００２１】
本発明の上述及び他の目的、特徴、及び長所は以下の詳細な説明及び付随する図面からより完全に理解されるだろう。付随する図面は図解のためだけに示されたものであり、本発明を制限するためのものではない。
【図面の簡単な説明】
【００２２】
【図１】実施の形態１にかかるレーザ周波数測定装置１００の構成を模式的に示す構成図である。
【図２】実施の形態１にかかるレーザ周波数測定装置１００の構成をより詳細に示す構成図である。
【図３】レーザ周波数測定装置１００のレーザ周波数測定を示すフローチャートである。
【図４】ヨウ素のｄ線、ｅ線、ｆ線、ｇ線、ｈ線の吸収線のそれぞれに安定化したヨウ素安定化Ｈｅ−Ｎｅレーザと光周波数コムを干渉させた場合に発生するビート周波数の例を示す図である。
【図５】図４で示した周波数をスペクトルアナライザでスペクトル図として観測される様子を模式的に示す図である。
【図６】ヨウ素の吸収線であるａ１０線近傍のａ８線、ａ９線、ａ１０線、ａ１１線、ａ１２線に安定化したレーザと光周波数コムのビート周波数を示す図である。
【図７】図６のビート周波数を周波数スペクトルで表した図である。
【図８】光周波数コムと測定対象となるレーザの絶対周波数との関係を示すスペクトル図である。
【発明を実施するための形態】
【００２３】
以下、図面を参照して本発明の実施の形態について説明する。各図面においては、同一要素には同一の符号が付されており、必要に応じて重複説明は省略される。
【００２４】
実施の形態１
まず、実施の形態１にかかるレーザ周波数測定装置１００について説明する。図１は、実施の形態１にかかるレーザ周波数測定装置１００の構成を模式的に示す構成図である。レーザ周波数測定装置１００は、光周波数コム１、受光部５、演算部６を有する。光周波数コム１は、ｎ次の周波数が前述の式（１）で示される光を出力する。ここでは、複数の縦モードを含む光周波数コム１の出力光を、光Ｌ１とする。
【００２５】
レーザ装置２は、周波数測定の対象となるレーザ光Ｌ２を出力する。レーザ光Ｌ２は光Ｌ１と干渉し、光Ｌ３として受光部５に入射する。受光部５は、受光した光を光電変換し、電気信号ＳＩＧを出力する。演算部６は、受光部５からの電気信号ＳＩＧに基づいて、ビート周波数ｆｂｅａｔを測定する。そして、演算部６は、ビート周波数ｆｂｅａｔが所定の範囲内であるかを判定し、判定結果に応じてレーザ光Ｌ２の絶対周波数νｌａｓｅｒを算出する。
【００２６】
続いて、レーザ周波数測定装置１００の構成をより詳細に説明する。図２は、実施の形態１にかかるレーザ周波数測定装置１００の構成をより詳細に示す構成図である。レーザ周波数測定装置１００は、光周波数コム１、ミラー３、ビームスプリッタ４、受光部５、演算部６及び制御部７を有する。
【００２７】
ビームスプリッタ４は、光周波数コム１と受光部５との間に配置される。光Ｌ１の一部は、ビームスプリッタ４を透過し、受光部５へ向けて伝搬する。レーザ光Ｌ２は、ミラー３で反射され、ビームスプリッタ４に入射する。レーザ光Ｌ２の一部は、ビームスプリッタ４で反射され、受光部５へ向けて伝搬する。これにより、ビームスプリッタ４と受光部５との間では、光Ｌ１とレーザ光Ｌ２とが干渉し、光Ｌ３となる。
【００２８】
演算部６は、ビート周波数測定部６１、判定部６２及び周波数算出部６３を有する。ビート周波数測定部６１は、受光部５からの電気信号ＳＩＧに基づいて、ビート周波数を測定する。ビート周波数測定部６１には、周波数フィルタｆｂｅａｔやレベル調整手段を有しており、ビート周波数測定に不要な高調波などを除去し、ビート周波数ｆｂｅａｔを高精度に測定できる構成としてもよい。ビート周波数測定部６１は、ビート周波数ｆｂｅａｔを判定部６２に出力する。判定部６２は、ビート周波数測定部６１から入力する仮のビート周波数ｆｂｅａｔ＿ｒが所定の範囲内であるかを判定する。判定部６２は、判定結果を、制御信号ＣＯＮ１によりビート周波数測定部６１へ通知し、制御信号ＣＯＮ２により周波数算出部６３へ通知する。周波数算出部６３は、判定部６２での判定結果を示す制御信号ＣＯＮ２に応じて、レーザ装置２が出力するレーザ光Ｌ２の絶対周波数νｌａｓｅｒを算出する。
【００２９】
演算部６は、コンピュータなどのハードウェア資源を用いて構成することができる。この場合、ビート周波数測定部６１、判定部６２及び周波数算出部６３が行う動作を規定するプログラムをコンピュータに実行させることで、演算部６を実現できる。
【００３０】
制御部７は、光周波数コム１及び周波数算出部６３に、必要なパラメータを出力する。  制御部７は、コンピュータなどのハードウェア資源を用いて構成することができる。この場合、制御部７が行う動作を規定するプログラムをコンピュータに実行させることで、制御部７を実現できる。
【００３１】
続いて、レーザ周波数測定装置１００のレーザ周波数測定について説明する。図３は、レーザ周波数測定装置１００のレーザ周波数測定を示すフローチャートである。
【００３２】
ステップＳ１
制御部７は、光周波数コム１を起動する。そして、制御部７は、光周波数コム１にビート周波数ｆｂｅａｔとオフセット周波数ｆＣＥＯとを設定し、光Ｌ１の出力を安定化させる。また、制御部７は、ビート周波数ｆｂｅａｔ、オフセット周波数ｆＣＥＯ及び絶対周波数νｌａｓｅｒの算出に用いる次数ｎを、演算部６の周波数算出部６３に出力する。
【００３３】
ステップＳ２
制御部７は、レーザ装置２を起動し、レーザ光Ｌ２の出力を安定化させる。
【００３４】
ステップＳ３
演算部６のビート周波数測定部６１は、受光部５からの電気信号ＳＩＧを用いて、ビート周波数を確認する。ビート周波数測定部６１は、電気信号ＳＩＧが示すスペクトルから、仮のビート周波数ｆｂｅａｔ＿ｒを取得する。この際、ビート周波数ｆｂｅａｔ＿ｒを取得する精度は、ビート周波数ｆｂｅａｔ＿ｒが±100[kHz]程度の範囲に収まっているかを確認できる程度でよい。
【００３５】
ステップＳ４
演算部６の判定部６２は、仮のビート周波数ｆｂｅａｔ＿ｒが、最小値ｆｍｉｎから最大値ｆｍａｘの範囲に入っているか（ｆｍｉｎ≦ｆｂｅａｔ＿ｒ≦ｆｍａｘ）を判定する。ｆｍｉｎ＞ｆｂｅａｔ＿ｒ又はｆｂｅａｔ＿ｒ＞ｆｍａｘの場合、ＮＧ判定として、レーザ装置２が想定した周波数の範囲内で正しく発振しているかどうかを確認し、ステップＳ３を再試行する。判定部６２は、制御信号ＣＯＮ１を用いて、ビート周波数測定部６１に仮のビート周波数ｆｂｅａｔ＿ｒを再度取得させることができる。
【００３６】
ステップＳ５
ｆｍｉｎ≦ｆｂｅａｔ＿ｒ≦ｆｍａｘの場合、判定部６２は、レーザ装置２が想定した周波数の範囲内で正しく発振しているものとして、制御信号ＣＯＮ１を用いて、ビート周波数測定部６１にビート周波数ｆｂｅａｔを算出させる。ビート周波数測定部６１は、高精度の測定を行うため、数千秒以上の期間で複数の値を取得し、取得した値の平均値を使ってビート周波数ｆｂｅａｔを算出する。
【００３７】
ステップＳ６
演算部６の周波数算出部６３は、制御信号ＣＯＮ２を受けて、式（２）を用いて、レーザ装置２が出力するレーザ光の絶対周波数νｌａｓｅｒを算出する。そして、周波数算出部６３は、算出した絶対周波数νｌａｓｅｒを、外部の表示装置（不図示）などに出力する。
【００３８】
以上説明したように、レーザ周波数測定装置１００では、ステップＳ４で仮のビート周波数ｆｂｅａｔ＿ｒが最小値ｆｍｉｎからｆｍａｘの範囲に入っているかを判定することで、レーザ装置２が想定される周波数範囲内で発振しているかどうかを判断している。以下、この判定の原理について説明する。
【００３９】
光周波数コムで周波数を測定するレーザとしては、一般に、発振周波数の不確かさが比較的小さい分子吸収線に安定化させたレーザが用いられる。具体的には、長さ標準用のレーザに着目すると、国際度量衡委員会（ＣＩＰＭ：Comite International des Poids et Mesures）の勧告にあるように、ヨウ素の吸収線であるｆ線に安定化されたＨｅ−Ｎｅレーザなどが挙げられる。よって、ここでは、レーザ装置２がヨウ素安定化Ｈｅ−Ｎｅレーザである場合について説明する。
【００４０】
ヨウ素安定化Ｈｅ−Ｎｅレーザの安定化に用いられる吸収線であるｆ線の周波数は、ＣＩＰＭの１９９７年勧告によれば、473,612,353,597[kHz]である。ｆ線に安定化されたレーザの周波数は、温度やレーザ出力、調整の具合等で勧告値の周波数からずれることがあるが、その量は大きくてもせいぜい数百kHz程度である。
【００４１】
図４は、ヨウ素のｄ線、ｅ線、ｆ線、ｇ線、ｈ線の吸収線のそれぞれに安定化したヨウ素安定化Ｈｅ−Ｎｅレーザと光周波数コムを干渉させた場合に発生するビート周波数の例を示す図である。図５は、図４で示した周波数をスペクトルアナライザでスペクトル図として観測される様子を模式的に示す図である。図４及び図５では、周波数間隔ｆｒｅｐを98,399,985[Hz]、オフセット周波数ｆＣＥＯを10,194,010[Hz]に設定した場合の例である。
【００４２】
上述したように、吸収線に安定化した際に生じる誤差は大きくても数百kHzである。したがって、ビート周波数信号を周波数カウンタに入力して得られる数値や、スペクトアナライザで観測されるスペクトルを見れば、どの吸収線に安定化されて発振しているかを識別することができる。
【００４３】
図４及び図５に示すように、ｆ線に安定化されたレーザ光に対応するビート周波数ｆｂｅａｔは30,000,000[Hz]である。f線に正しく安定化されたレーザを測定する場合には、30[MHz]を中心とした±100[kHz]程度の範囲内のビート周波数を測定することになる。
【００４４】
一方、f線の近傍には、複数の他の吸収線が存在する。たとえば、ｆ線に隣接する吸収線であるe線の周波数は473,612,366,960[kHz]、g線の周波数は473,612,400,399[kHz]である。レーザ装置２が誤ってｄ線、ｅ線、ｇ線、ｈ線のいずれかに安定化された場合には、ｄ線、ｅ線、ｇ線、ｈ線に対応するビート周波数は、それぞれ42,175,985[Hz]、43,363,000[Hz]、16,802,000[Hz]、11,446,985[Hz]となる。これらはすべて、30,000,000 ±100,000[Hz]の範囲外である。したがって、たとえ誤って別の吸収線に安定化されていたとしても、ビート周波数の数値から簡単に検出することができる。
【００４５】
よって、ステップＳ４において、仮のビート周波数ｆｂｅａｔが30,000,000±100,000[Hz]内に収まっているかを判定することで、レーザ装置２がヨウ素のｆ線に安定化されているかを判定できることが理解できる。
【００４６】
一般に行われるレーザの周波数測定と同様に、本実施の形態ステップＳ５でもビート周波数ｆｂｅａｔを数千秒程度の時間において、測定する。しかし、手前のステップＳ４にてレーザの安定化状態を判定しているので、レーザが不安定な状態で長時間を要するビート周波数ｆｂｅａｔを算出してしまう事態を防止できる。
【００４７】
上述のように、一般的なレーザ光の絶対周波数測定では、初期の光周波数コムの次数が不明である。そのため、仮の絶対周波数値と測定したビート周波数の値を使って式（２）の演算を行って光周波数コムの次数を決定し、レーザが所望の吸収線に安定化されているかを確認する必要が有った。これに対し、本構成によれば、仮の絶対周波数値と測定したビート周波数値を使って光コムの次数を決定せずとも、周波数測定の対象となるレーザ装置が所望の周波数領域に安定化されているかを判定することができる。つまり、ビート周波数の値を確認するだけでよいので、短時間でレーザの安定化状態を判定することができる。
【００４８】
実施の形態２
次に、実施の形態２について説明する。実施の形態１ではレーザ装置２がヨウ素安定化Ｈｅ−Ｎｅレーザである例について説明したが、本実施の形態では、レーザ装置２がヨウ素安定化Ｎｄ；ＹＡＧレーザである場合について説明する。この場合、ヨウ素安定化Ｎｄ；ＹＡＧレーザは、ヨウ素の吸収線であるａ１０線に対し安定化され、波長５３２ｎｍかまたはその基本波の１０６４ｎｍのレーザ光を出力する。
【００４９】
図６は、ヨウ素の吸収線であるａ１０線近傍のａ８線、ａ９線、ａ１０線、ａ１１線、ａ１２線に安定化したレーザと光周波数コムのビート周波数を示す図である。図７は、図６のビート周波数を周波数スペクトルで表した図である。図６及び図７では、周波数間隔ｆｒｅｐを98,399,980[Hz]、オフセット周波数ｆＣＥＯを11,996,800[Hz]に設定した場合の例である。
【００５０】
図６及び図７に示すように、a１０線に対応するビート周波数ｆｂｅａｔは、理想的には30,000,000[Hz]である。このときの光周波数コムの次数ｎは5,724,190である。ａ１０線に安定化されたレーザの周波数は、測定環境は装置自身の誤差要因によってずれることになるが、その量は大きくても±100[kHz]程度である。
【００５１】
従って、ａ１０線に安定化したＮｄ：ＹＡＧレーザの周波数を測定する場合には、その時に得られたビート周波数が３０ＭＨｚか否かを確認することで、レーザが正しい吸収線に安定化されているかどうかを瞬時に判断することができる。もし、ビート周波数が３０  ＭＨｚでない場合には、他の吸収線に誤って安定化されている可能性が高いため、レーザの安定化の状態を再度確認することになる。
【００５２】
なお、本実施の形態ではヨウ素安定化Ｎｄ；ＹＡＧについて説明したが、ヨウ素安定化Ｎｄ；ＹＶＯ４レーザをヨウ素のａ１０線に安定化したレーザであっても、所定の吸収線に安定化されているかどうかを同様に識別することができる。
【００５３】
その他の実施の形態
なお、本発明は上記実施の形態に限られたものではなく、趣旨を逸脱しない範囲で適宜変更することが可能である。上述の原点信号発生回路は例示に過ぎない。例えば、上述の実施の形態では、演算部６及び制御部７を別々の構成として説明したが、１つのハードウェアとして構成してもよい。
【００５４】
また、上述では、レーザ装置２が出力するレーザ光をｆ線又はa１０線に安定化させる例について説明したが、他の吸収線に安定化させることを妨げるものではない。
【００５５】
また、上述では、レーザ装置２として、ヨウ素安定化Ｈｅ−Ｎｅレーザ、ヨウ素安定化Ｎｄ；ＹＡＧ、ヨウ素安定化Ｎｄ；ＹＶＯ４レーザについて説明したが、これは例示に過ぎない。レーザ周波数の安定化の対象となる離散した複数の吸収線を有する限り、他のレーザ装置を用いることも可能である。
【符号の説明】
【００５６】
１００  レーザ周波数測定装置
１  光周波数コム
２  レーザ装置
３  ミラー
４  ビームスプリッタ
５  受光部
６  測定部
７  制御部
６１  ビート周波数測定部
６２  判定部
６３  周波数算出部
【図１】
2015005601.tif 000005
【図２】
2015005601.tif 000006
【図３】
2015005601.tif 000007
【図４】
2015005601.tif 000008
【図５】
2015005601.tif 000009
【図６】
2015005601.tif 000010
【図７】
2015005601.tif 000011
【図８】
2015005601.tif 000012